(57)【特許請求の範囲】
【請求項１】
被読取物を載置される透明な載置台と、
前記載置台に載置された前記被読取物を覆うカバー平面上の所定位置にマークを有する原稿カバーと、
前記載置台に載置された前記被読取物および前記カバー平面の画像を読み取る画像読取部と、
前記画像読取部により読み取られた画像内で前記マークのマーク画像を検出し、前記マーク画像の濃度および位置を特定するマーク特定部と、
前記画像読取部により読み取られた画像を前記マーク画像の濃度および位置に応じて補正する画像補正部と、
前記被読取物の種別が立体物およびシート状原稿のどちらであるかを特定する被読取物種別特定部と
を備え、
前記マーク特定部は、前記被読取物の種別が立体物であると特定された場合、特定した前記マーク画像の濃度および位置から前記原稿カバーの静止角度を特定し、
前記画像補正部は、前記被読取物の種別が立体物であると特定された場合、特定された前記原稿カバーの静止角度に応じて、前記画像読取部により読み取られた画像に対して、所定の低輝度領域の輝度を増加させること、
を特徴とする画像読取装置。
【請求項２】
コピー時に前記画像読取部により読み取られた画像を印刷する印刷部をさらに備え、
前記マークの色は、前記印刷部において印刷可能な色領域に含まれない色とされること、
を特徴とする請求項１記載の画像読取装置。
【請求項３】
前記画像補正部は、前記画像読取部により読み取られた画像における前記マーク画像を除去することを特徴とする請求項１記載の画像読取装置。
【請求項４】
色補正テーブルを記憶する記憶装置をさらに備え、
前記画像補正部は、前記色補正テーブルを前記マーク画像の濃度および／または位置に応じて補正し、補正された前記色補正テーブルで前記画像読取部により読み取られた画像の色変換を行うこと、
を特徴とする請求項１記載の画像読取装置。
【請求項５】
前記マーク画像の位置の、基準位置からのズレ量に基づいて、前記原稿カバーのズレを検出するカバーズレ検出部をさらに備えることを特徴とする請求項１から請求項４のうちのいずれか１項記載の画像読取装置。
【請求項６】
前記カバーズレ検出部は、前記載置台上で前記被読取物が検知されていないときに、前記原稿カバーのズレを検出することを特徴とする請求項５記載の画像読取装置。
【発明の詳細な説明】
【技術分野】
【０００１】
本発明は、画像読取装置に関するものである。
【背景技術】
【０００２】
デジタル複合機は、一般に、コンタクトガラス上に載置された原稿等の被読取物の画像を読み取る画像読取部、画像読取部により得られた画像データに所定の画像処理を施す画像処理部、画像処理部により画像処理が施された画像データに基づく画像を記録用紙等に印刷する印刷部などを備えている。
【０００３】
画像読取装置の被読取物は通常シート状の原稿であるので、画像読取装置の原稿カバーは、シート状の原稿をコンタクトガラスに密着させるために平板形状を有する。
【０００４】
このため、被読取物が厚みの大きい立体物である場合、原稿カバーにより被読取物が充分に覆われず、読み取られた画像において被読取物画像の周囲の背景にカブリが発生する。
【０００５】
ある画像読取装置では、原稿カバーが、コンタクトガラス上に載置された立体状の被読取物を収容する収容空間を有し、これにより、立体状の被読取物の画像を読み取る場合でも、背景にカブリが発生しないようにしている（例えば、特許文献１参照）。
【先行技術文献】
【特許文献】
【０００６】
【特許文献１】特開２００１−３４３８０２号公報
【発明の概要】
【発明が解決しようとする課題】
【０００７】
しかしながら、上述のような収容空間のある原稿カバーは、構造が複雑であるので生産コストが高くなるとともに、被読取物のサイズが収容空間のサイズに制限されてしまう可能性がある。
【０００８】
本発明は、上記の問題に鑑みてなされたものであり、被読取物が立体物である場合におけるカブリ等の画質低下を低コストで低減することができる画像読取装置を得ることを目的とする。
【課題を解決するための手段】
【０００９】
上記の課題を解決するために、本発明では以下のようにした。
【００１０】
本発明に係る画像読取装置は、被読取物を載置される透明な載置台と、載置台に載置された被読取物を覆うカバー平面上の所定位置にマークを有する原稿カバーと、載置台に載置された被読取物およびカバー平面の画像を読み取る画像読取部と、画像読取部により読み取られた画像内でマークのマーク画像を検出し、マーク画像の濃度および／または位置を特定するマーク特定部と、画像読取部により読み取られた画像をマーク画像の濃度および位置に応じて補正する画像補正部と、被読取物の種別が立体物およびシート状原稿のどちらであるかを特定する被読取物種別特定部とを備える。そして、マーク特定部は、被読取物の種別が立体物であると特定された場合、特定したマーク画像の濃度および位置から原稿カバーの静止角度を特定し、画像補正部は、被読取物の種別が立体物であると特定された場合、特定された原稿カバーの静止角度に応じて、画像読取部により読み取られた画像に対して、所定の低輝度領域の輝度を増加させる。
【００１１】
これにより、原稿カバーにマークを設けることでマーク画像の濃度および／または位置から画像処理でカブリ等の画質低下を低減できる。したがって、被読取物が立体物である場合におけるカブリ等の画質低下を低コストで低減することができる。また、マーク画像の濃度および／または位置に応じた画像処理でカブリ等の画質低下が低減される。また、カブリにより低輝度領域として読み取られた部分の輝度が増加され、カブリが軽減される。
【００１２】
また、本発明に係る画像読取装置は、上記の画像読取装置に加え、次のようにしてもよい。この場合、画像読取装置は、コピー時に画像読取部により読み取られた画像を印刷する印刷部をさらに備える。そして、マークの色は、印刷部において印刷可能な色領域に含まれない色とされる。
【００１６】
また、本発明に係る画像読取装置は、上記の画像読取装置のいずれかに加え、次のようにしてもよい。この場合、画像補正部は、画像読取部により読み取られた画像におけるマーク画像を除去する。
【００１７】
また、本発明に係る画像読取装置は、上記の画像読取装置のいずれかに加え、次のようにしてもよい。この場合、画像読取装置は、色補正テーブルを記憶する記憶装置をさらに備える。そして、画像補正部は、色補正テーブルをマーク画像の濃度および／または位置に応じて補正し、補正された色補正テーブルで画像読取部により読み取られた画像の色変換を行う。
【００１８】
これにより、画像読取において通常行われる色補正において上述の画像補正を行うことで、色補正と画像補正とを別々に行うより、処理時間が短くなる。
【００１９】
また、本発明に係る画像読取装置は、上記の画像読取装置のいずれかに加え、次のようにしてもよい。この場合、画像読取装置は、マーク画像の位置の、基準位置からのズレ量に基づいて、原稿カバーのズレを検出するカバーズレ検出部をさらに備える。
【００２０】
これにより、マーク画像の位置が基準位置になるように原稿カバーがユーザー等により正しく配置されるため、マーク画像の濃度および位置が正確に検出される。
【００２１】
また、本発明に係る画像読取装置は、上記の画像読取装置のいずれかに加え、次のようにしてもよい。この場合、カバーズレ検出部は、載置台上で被読取物が検知されていないときに、原稿カバーのズレを検出する。
【００２２】
これにより、カバー平面が載置台に密着した状態でマーク画像が検出されるため、マーク画像のズレ量を正確に測定できる。
【発明の効果】
【００２３】
本発明によれば、画像読取装置において、被読取物が立体物である場合におけるカブリ等の画質低下を低コストで低減することができる。
【図面の簡単な説明】
【００２４】
【図１】図１は、本発明の実施の形態に係る画像読取装置の内部構成を示す側面図である。
【図２】図２は、本発明の実施の形態に係る画像読取装置の斜視図である。
【図３】図３は、図１および図２における原稿カバーを示す平面図である。
【図４】図４は、図１に示す画像読取装置の電気的構成を示すブロック図である。
【図５】図５は、コンタクトガラスからある特定のマークまでの距離とマーク画像の濃度との関係（マーク画像の濃度特性）の一例を示す図である。
【図６】図６は、コンタクトガラスからカバー平面上のある位置までの距離とその位置におけるカバー平面の画像の濃度との関係（カバー平面の画像の濃度特性）の一例を示す図である。
【図７】図７は、図１、図２および図３に示す画像読取装置による画像読取処理を説明するフローチャートである。
【図８】図８は、図１、図２および図３に示す画像読取装置による原稿カバーのズレ検出処理を説明するフローチャートである。
【発明を実施するための形態】
【００２５】
以下、図に基づいて本発明の実施の形態を説明する。
【００２６】
図１は、本発明の実施の形態に係る画像読取装置の内部構成を示す側面図である。図１に示す画像読取装置は、スキャナー、複写機、デジタル複合機などといった装置である。
【００２７】
図１において、コンタクトガラス１は、当該画像読取装置本体の上面に設置され、画像読取時に原稿などの被読取物を載置される透明な載置台である。
【００２８】
また、キャリッジ２は、図示せぬ駆動源によって副走査方向に移動可能に設置されている。キャリッジ２は、光源１１とミラー１２とを有する。光源１１は、主走査方向に沿って配置され、例えば配列された複数の発光ダイオードで光を出射する。光源１１から出射された光は、キャリッジ２の位置に応じて、コンタクトガラス１上に載置された原稿などの被読取物などで反射する。ミラー１２は、被読取物などからの反射光を反射する。
【００２９】
また、キャリッジ３は、図示せぬ駆動源によってキャリッジ２とともに副走査方向に移動可能に設置されている。キャリッジ３は、ミラー１３，１４を有する。ミラー１３，１４は、キャリッジ２のミラー１２からの光を２度反射して副走査方向に沿って出射する。
【００３０】
結像レンズ４は、ミラー１４からの光をイメージセンサー５に結像させる。
【００３１】
イメージセンサー５は、主走査方向に配列された所定の画素数の受光素子を有する一次元イメージセンサーであり、ラインごとに、その画素数の画素についての受光量に対応する電気信号を出力する。イメージセンサー５としては、例えば、ＣＣＤ（Charge Coupled Device）が使用される。
【００３２】
キャリッジ２，３、結像レンズ４、イメージセンサー５、光源１１、ミラー１２、ミラー１３，１４により、コンタクトガラス１に載置された被読取物および原稿カバー７のカバー平面の画像を読み取る画像読取部１５が構成されている。画像読取部１５によりコンタクトガラス１上の所定の矩形領域での画像が読み取られる。
【００３３】
図２は、本発明の実施の形態に係る画像読取装置の斜視図である。図３は、図１および図２における原稿カバー７を示す平面図である。
【００３４】
図１、図２、および図３に示すように、原稿カバー７は、コンタクトガラス１に載置された被読取物を覆う白色のカバー平面２１上の所定位置に複数のマーク２２を有し、被読取物が載置されていないときにコンタクトガラス１に面接触可能なように、回動端７ａ付近を軸として回動自在に設置されている略平板状の部材である。原稿カバー７は、シート状原稿などの被読取物をコンタクトガラス１に密着させるとともに、画像読取時に環境光がコンタクトガラス１から装置内部へ入射することを防ぐ。
【００３５】
マーク２２は、カバー平面２１の色以外の所定の色（例えば黒）および所定の形状（円、四角など）を有し、カバー平面２１に印刷されたものであったり、カバー平面２１の色以外の所定の色および所定の形状のシールを接着したものであったりする。なお、マーク２２の数および配列パターンは、図２および図３に示す場合に限定されない。
【００３６】
図４は、図１に示す画像読取装置の電気的構成を示すブロック図である。
【００３７】
図４において、原稿検知センサー３１は、コンタクトガラス１の下の複数の位置に配置され、コンタクトガラス１上に載置される原稿などを光学的に検出するセンサーである。
【００３８】
ユーザーインターフェイス３２は、ユーザー操作を検出するボタンスイッチ、タッチパネルなどの入力装置と、ユーザーに対して各種情報を表示する液晶ディスプレイなどの表示装置とを有する。
【００３９】
印刷部３３は、画像データに基づく画像を、電子写真方式などで記録用紙などに印刷する内部装置である。
【００４０】
画像処理装置３４は、画像読取部１５により読み取られた画像に対して画像処理を行う装置である。画像処理装置３４は、例えばＡＳＩＣ（Application Specific Integrated Circuit）や、制御プログラムに従って動作するコンピューターなどで実現される。
【００４１】
記憶装置３５は、ハードディスク、不揮発性メモリーなどの不揮発性の記憶装置であって、各種データや制御プログラムを記憶する。記憶装置３５には、デフォルト色補正テーブル５１が予め記憶されている。
【００４２】
デフォルト色補正テーブル５１は、被読取物がシート状原稿である場合に、画像読取部１５により読み取られた画像に対して適用される色補正テーブルである。
【００４３】
画像処理装置３４は、制御部４１、被読取物種別特定部４２、マーク特定部４３、色補正部４４、出力画像生成部４５、およびカバーズレ検出部４６を有する。
【００４４】
制御部４１は、画像読取部１５およびユーザーインターフェイス３２の制御などを行い、画像読取部１５の出力から、量子化されたビットマップの画像データを取得する。
【００４５】
被読取物種別特定部４２は、原稿検知センサー３１の出力、および／または画像読取部１５により読み取られた画像内でのマーク２２の画像の位置に基づいて、コンタクトガラス１上における被読取物の有無、被読取物の種別（立体物およびシート状原稿のいずれか）、被読取物のサイズなどを特定する。
【００４６】
なお、原稿検知センサー３１の出力に基づいて被読取物の有無、被読取物の種別、被読取物のサイズなどを特定する場合には、原稿カバー７が閉じられたときに、被読取物種別特定部４２は、原稿検知センサー３１の出力に基づき、それらを特定するようにしてもよい。
【００４７】
マーク特定部４３は、画像読取部１５により読み取られた画像内でマークのマーク画像を検出し、マーク画像の濃度および／または位置を特定する。
【００４８】
さらに、この実施の形態では、マーク特定部４３は、マーク画像の濃度および／または位置に基づいて、原稿カバー７の静止角度（全閉状態を０度としたときの開き角）を特定する。具体的には、マーク特定部４３は、マーク２２の形状および色、マーク画像の濃度特性、カバー平面２１の画像の濃度特性などに基づいて、画像読取部１５により読み取られた画像内でマーク画像を検出するとともに、マーク画像の濃度および／または位置から、原稿カバー７の静止角度を特定する。
【００４９】
図５は、コンタクトガラス１からある特定のマーク２２までの距離とマーク画像の濃度との関係（マーク画像の濃度特性）の一例を示す図である。図６は、コンタクトガラス１からカバー平面２１上のある位置までの距離とその位置におけるカバー平面２１の画像の濃度との関係（カバー平面２１の画像の濃度特性）の一例を示す図である。
【００５０】
つまり、図５および図６に示す濃度特性から、マーク特定部４３は、各マーク２２の、コンタクトガラス１からの距離を特定し、その距離およびカバー平面２１上のマーク２２の位置に基づいて、原稿カバー７の静止角度を特定する。
【００５１】
図２および図３に示すようにマーク２２が複数設けられており、画像読取部１５により読み取られた画像内で複数のマーク画像が発見された場合、マーク特定部４３は、各マーク画像について静止角度を特定し、発見された複数のマーク画像についての静止角度の平均値を、原稿カバー７の静止角度とする。
【００５２】
色補正部４４は、画像読取部１５により読み取られた画像に対して色補正（ＣＭＹＫの各色の補正）を行う。また、色補正部４４は、画像読取部１５により読み取られた画像をマーク画像の濃度および／または位置に応じて補正する。この実施の形態では、色補正部４４は、画像読取部１５により読み取られた画像を、上述の原稿カバー７の静止角度に応じて補正する。これにより、色補正部４４は、画像読取部１５により読み取られた画像を、間接的にマーク画像の濃度および／または位置に応じて補正することになる。なお、これにより、色補正部４４は、画像読取部１５により読み取られた画像を、直接的にマーク画像の濃度および／または位置に応じて補正するようにしても勿論よい。
【００５３】
また、この実施の形態では、色補正部４４は、このとき、画像読取部１５により読み取られた画像に対して、所定の低輝度領域の輝度を増加させる。つまり、この低輝度領域の広さ、および輝度の増加量が、原稿カバー７の静止角度に応じて調整される。
【００５４】
なお、色補正部４４は、このとき、色補正における「地肌飛ばし」の閾値を調整するようにしてもよい。つまり、「地肌飛ばし」の閾値が、原稿カバー７の静止角度に応じて調整される。
【００５５】
さらに、この実施の形態では、色補正部４４は、デフォルト色補正テーブル５１をマーク画像の濃度および／または位置に応じて補正し、補正された色補正テーブルで、画像読取部１５により読み取られた画像の色変換を行うことで上述の画像補正を行う。なお、この実施の形態では、色補正部４４は、デフォルト色補正テーブル５１を、上述の原稿カバー７の静止角度に応じて補正する。これにより、色補正部４４は、デフォルト色補正テーブル５１を、間接的にマーク画像の濃度および／または位置に応じて補正することになる。なお、これにより、色補正部４４は、デフォルト色補正テーブル５１を、直接的にマーク画像の濃度および／または位置に応じて補正するようにしても勿論よい。
【００５６】
出力画像生成部４５は、色補正部４４による色補正後の画像から所定の形式の画像データを生成し出力する。コピーを実行する場合、出力画像生成部４５は、色補正部４４による色補正後の画像に対して各種画像処理を施して、印刷部３３により処理可能な形式の画像データを生成して印刷部３３に供給し、その画像データに基づく印刷を実行させるようにしてもよい。このときの画像処理には、文字領域への微分フィルターなどによるエッジ強調処理、網点領域への積分フィルターなどによる平滑化処理、文字領域の鮮明化や網点領域のモアレ・ノイズ軽減などの各種領域に対する適応処理、ＵＣＲ（Under Color Removal）処理などが適宜含まれる。
【００５７】
カバーズレ検出部４６は、マーク特定部４３により得られるマーク画像の位置の、基準位置からのズレ量に基づいて、原稿カバー７のズレを検出する。この実施の形態では、カバーズレ検出部４６は、原稿検知センサー３１によりコンタクトガラス１上に原稿などの被読取物が検知されていないときに、原稿カバー７のズレを検出する。
【００５８】
次に、上記画像読取装置の動作について説明する。
【００５９】
ここでは、被読取物（シート状原稿、立体物など）の画像読取処理と原稿カバーのズレ検出処理について説明する。
【００６０】
（１）画像読取処理
【００６１】
図７は、図１、図２および図３に示す画像読取装置による画像読取処理を説明するフローチャートである。
【００６２】
ユーザーは、コピーまたは画像スキャンを行う場合、被読取物をコンタクトガラス１上に載置した後、コピーまたは画像スキャンのためのユーザー操作をユーザーインターフェイス３２に対して行う。
【００６３】
被読取物がシート状原稿（例えば、Ａ４サイズの１枚の紙）である場合、そのシート状の原稿は、コンタクトガラス１に密着するとともに、原稿カバー７は、シート状の原稿、あるいはシート状の原稿とコンタクトガラス１に密着する。このとき、原稿カバー７の静止角度はほぼ０度になる。
【００６４】
一方、被読取物が立体物である場合、原稿カバー７は、立体物に接触するものの、立体物およびコンタクトガラス１に密着せず、開いた状態となる。このとき、原稿カバー７の静止角度は、立体物の形状に応じた角度となる。
【００６５】
そして、上述のユーザー操作がユーザーインターフェイス３２により検出されると、制御部４１は、まず、画像読取部１５を制御して画像読取を実行させ、画像データを取得する（ステップＳ１）。
【００６６】
次に、被読取物種別特定部４２は、原稿検知センサー３１の出力に基づいて、被読取物の種別（立体物およびシート状原稿のいずれか）を特定する（ステップＳ２）。
【００６７】
なお、このとき、マーク特定部４３が、画像読取部１５により読み取られた画像内でのマーク２２のマーク画像の濃度および位置を特定し、被読取物種別特定部４２は、そのマーク画像の濃度および位置から被読取物の種別を特定するようにしてもよい。
【００６８】
制御部４１は、被読取物種別特定部４２により特定された被読取物の種別がシート状原稿であるか否かを判定し（ステップＳ３）、被読取物の種別がシート状原稿である場合には、画像読取部１５により読み取られた画像に対するデフォルト色補正テーブル５１による色補正を色補正部４４に実行させる（ステップＳ４）。
【００６９】
一方、被読取物の種別がシート状原稿ではない場合（つまり、被読取物の種別が立体物である場合）、制御部４１は、まず、マーク特定部４３に、画像読取部１５により読み取られた画像内でのマーク２２のマーク画像の濃度および位置を特定させる（ステップＳ５）。マーク特定部４３は、マーク画像の濃度および位置を特定し、マーク画像の濃度および位置から原稿カバー７の静止角度を特定する。
【００７０】
なお、ステップＳ２においてマーク特定部４３が、画像読取部１５により読み取られた画像内でのマーク２２のマーク画像の濃度および位置を既に特定している場合には、ステップＳ５の処理は不要である。ただし、ステップＳ５では、マーク特定部４３は、マーク画像の濃度および位置から原稿カバー７の静止角度を特定する。
【００７１】
色補正部４４は、デフォルト色補正テーブル５１を読み出し、そのデフォルト色補正テーブル５１を上述の原稿カバー７の静止角度に応じて補正して、カスタム色補正テーブルを生成し（ステップＳ６）、そのカスタム色補正テーブルで、画像読取部１５により読み取られた画像に対する色補正を行う（ステップＳ７）。このとき、色補正部４４は、デフォルト色補正テーブル５１より所定の低輝度領域の輝度が増加されるようにカスタム色補正テーブルを生成する。低輝度領域の輝度が増加されることで、この色補正において、カブリ部分の輝度が高くなる。
【００７２】
その後、出力画像生成部４５が、ステップＳ４またはステップＳ７での色補正後の画像に対して所定の画像処理を実行し、その画像処理後の画像を例えば印刷部３３に出力する。
【００７３】
このように、被読取物の種別に応じて異なる画像処理を実行することで、立体物の画像読取の際のカブリなどの画質低下を抑制する。
【００７４】
（２）原稿カバー７のズレ検出処理
【００７５】
原稿カバー７の位置にズレが生じると、検出されるマーク画像の位置に誤差が生じるので、上述の画像読取処理を正確に行うために、原稿カバー７のズレ検出処理が適宜実行される。図８は、図１、図２および図３に示す画像読取装置による原稿カバー７のズレ検出処理を説明するフローチャートである。
【００７６】
ユーザーは、プレスキャンのためのユーザー操作をユーザーインターフェイス３２に対して行う。
【００７７】
上述のユーザー操作がユーザーインターフェイス３２により検出されると、制御部４１は、まず、画像読取部１５を制御して画像読取を実行させ、画像データを取得する（ステップＳ２１）。
【００７８】
次に、被読取物種別特定部４２は、原稿検知センサー３１の出力などに基づいて、被読取物がコンタクトガラス１に載置されているか否かを判定する（ステップＳ２２）。
【００７９】
被読取物がコンタクトガラス１に載置されていない場合、マーク特定部４３は、画像読取部１５により読み取られた画像内でのマーク画像の位置を特定する（ステップＳ２３）。次に、カバーズレ検出部４６は、特定されたマーク画像のズレ量を特定する。ここでは、カバーズレ検出部４６は、特定されたマーク画像の位置と、そのマーク画像の基準位置との間の距離を、主走査方向および副走査方向について特定する（ステップＳ２４）。なお、マーク画像の基準位置は原稿カバー７のズレがない状態で予め測定され、その基準位置のデータが予めカバーズレ検出部４６に保持されている。
【００８０】
そして、カバーズレ検出部４６は、ステップＳ２４で特定されたズレ量が所定の条件を満足するほど大きいか否かを判定する（ステップＳ２５）。
【００８１】
例えば、主走査方向におけるマーク画像の位置と基準位置との間の距離をＸとし、副走査方向におけるマーク画像の位置と基準位置との間の距離をＹとした場合、上述の条件は、Ｘ＋Ｙ＞Ａ（ただし、Ａは所定の閾値）とされる。
【００８２】
そのズレ量が所定の条件を満足する場合、カバーズレ検出部４６は、ユーザーインターフェイス３２に、原稿カバー７にズレが生じていることを示す警告メッセージを表示させる（ステップＳ２６）。そのズレ量が所定の条件を満足しない場合、カバーズレ検出部４６は、その警告メッセージを表示させずに処理を終了する。
【００８３】
なお、ステップＳ２２において被読取物がコンタクトガラス１に載置されていると判定された場合には、上述の原稿カバー７のズレ検出処理を実行しない。
【００８４】
このように、被読取物が載置されていないときにカバー平面２１上のマーク２２が読み取られ、そのマーク２２についてのマーク画像の位置に基づいて、原稿カバー７のズレが検出され、ユーザーに報知される。ユーザーは、上述の警告メッセージに気付くと、原稿カバー７の位置を正しい位置に戻す。これにより、原稿カバー７の傾斜などが発生せず、画像読取時の画質劣化が抑制されるとともに、マーク画像の濃度および／または位置に基づく上述の画像補正が正確に実行される。
【００８５】
以上のように、上記実施の形態によれば、原稿カバー７のカバー平面２１上の所定位置にマーク２２が設けられ、マーク特定部４３は、画像読取部１５により読み取られた画像内でマーク２２のマーク画像を検出し、マーク画像の濃度および／または位置を特定する。そして、色補正部４４は、画像読取部１５により読み取られた画像をマーク画像の濃度および／または位置に応じて補正する。
【００８６】
これにより、原稿カバー７にマーク２２を設けることでマーク画像の濃度および／または位置から画像処理でカブリ等の画質低下を低減できる。したがって、被読取物が立体物である場合におけるカブリ等の画質低下を低コストで低減することができる。ひいては、読み取られた画像の印刷時に、カブリ部分のトナー消費を低減することができる。
【００８７】
また、上記実施の形態によれば、カバーズレ検出部４６は、上述のマーク画像の位置の、基準位置からのズレ量に基づいて、原稿カバー７のズレを検出する
【００８８】
これにより、マーク画像の位置が基準位置になるように原稿カバー７がユーザーにより正しく配置されるため、マーク画像の濃度および位置が正確に検出される。
【００８９】
なお、上述の実施の形態は、本発明の好適な例であるが、本発明は、これらに限定されるものではなく、本発明の要旨を逸脱しない範囲において、種々の変形、変更が可能である。
【００９０】
例えば、上記実施の形態において、色補正部４４または出力画像生成部４５は、マーク画像を除去するようにしてもよい。
【００９１】
また、上記実施の形態において、コンタクトガラス１において被読取物が載置されない領域に対応する、カバー平面２１上の位置にマーク２２を設け、画像読取部１５により、定形サイズの画像より大きいサイズで、マーク２２の画像を含むように画像読取を実行し、色補正部４４および出力画像生成部４５では、マーク２２の画像を含まないその定形サイズの画像に対する処理を行うようにしてもよい。
【００９２】
また、上記実施の形態において、マーク２２の色を、印刷部３３において印刷可能な色領域に含まれない色としてもよい。これにより、コピー時に、マーク２２の画像が印刷物に含まれない。
【産業上の利用可能性】
【００９３】
本発明は、例えば、スキャナー、複写機、デジタル複合機などに適用可能である。
【符号の説明】
【００９４】
１  コンタクトガラス（載置台の一例）
７  原稿カバー
１５  画像読取部
２１  カバー平面
２２  マーク
３１  原稿感知センサー（センサーの一例）
３５  記憶装置
４３  マーク特定部
４４  色補正部（画像補正部の一例）
４６  カバーズレ検出部
５１  デフォルト色補正テーブル（色補正テーブルの一例）
【図１】
0005797102.tif 000002
【図２】
0005797102.tif 000003
【図３】
0005797102.tif 000004
【図４】
0005797102.tif 000005
【図５】
0005797102.tif 000006
【図６】
0005797102.tif 000007
【図７】
0005797102.tif 000008
【図８】
0005797102.tif 000009